(57)【要約】【課題】走者側の通信機器同士の混信を低減できる通信計測システム、通信装置、および通信装置のプログラムを提供することを目的とする。【解決手段】通信計測システムは、第１通信装置と、第１通信装置と通信する第２通信装置と、を備える通信計測システムにおいて、第１通信装置および第２通信装置それぞれは、少なくとも通信装置を識別する識別情報を含む電波を送受信する通信部と、電波の送信を制御する制御部と、を備え、第２通信装置の通信部は、送信電波を送信間隔毎に送信し、第２通信装置の制御部は、第１通信装置からの送信電波に対する応答電波を受信したと判別した場合、送信間隔を経過した次の送信電波を送信しないように通信部を制御する。【選択図】図３
2018129619.tif 000002
【特許請求の範囲】
【請求項１】
第１通信装置と、前記第１通信装置と通信する第２通信装置と、を備える通信計測システムにおいて、
前記第１通信装置および前記第２通信装置それぞれは、
少なくとも通信装置を識別する識別情報を含む電波を送受信する通信部と、
前記電波の送信を制御する制御部と、を備え、
前記第２通信装置の前記通信部は、
送信電波を送信間隔毎に送信し、
前記第２通信装置の前記制御部は、
前記第１通信装置からの前記送信電波に対する応答電波を受信したと判別した場合、前記送信間隔を経過した次の前記送信電波を送信しないように前記通信部を制御する、
通信計測システム。
【請求項２】
前記応答電波は、
前記第１通信装置から前記第２通信装置に付帯情報を送信するように要求する付帯情報送信要求を含む、請求項１に記載の通信計測システム。
【請求項３】
前記第２通信装置は、
前記第２通信装置が使用される環境に関する状態を検出するセンサー、および前記第２通信装置を使用する使用者に関する状態を検出するセンサーのうち少なくとも１つを備え、
前記付帯情報は、
前記電波の再送信を要求する情報、前記センサーが検出した検出結果の送信を要求する情報、前記第１通信装置から電波を受信したことを示す情報のうち少なくとも１つである、請求項２に記載の通信計測システム。
【請求項４】
前記第２通信装置の前記制御部は、
前記電波の受信強度が所定のしきい値以上であると判別した場合に前記送信電波の送信を再開するように前記通信部を制御する、請求項１から請求項３のいずれか１項に記載の通信計測システム。
【請求項５】
前記第２通信装置の前記制御部は、
前記応答電波を受信し、前記応答電波に含まれる要求に対する情報を送信した後、所定時間、前記第１通信装置からの電波を受信しないように前記通信部を制御する、請求項１から請求項４のいずれか１項に記載の通信計測システム。
【請求項６】
前記第１通信装置の前記通信部は、
通信信号として第１送信電波を送信し、前記第２通信装置からの電波を受信する第１受信期間を設け、
前記第２通信装置の前記通信部は、
前記第１通信装置からの前記第１送信電波を受信する第２受信期間を設け、
前記第２通信装置は、
前記第２受信期間において受信される前記通信信号に応じて前記第２通信装置が前記前記第１通信装置と接近状態にあると前記制御部が判定する時間を計測時間として記憶する記憶部を備え、
前記第２通信装置の前記通信部は、
前記記憶部が記憶する前記計測時間を第２送信電波として前記第１通信装置に送信する、請求項１から請求項５のいずれか１項に記載の通信計測システム。
【請求項７】
前記第２通信装置の前記制御部は、前記第１送信電波を受信するときの時間、前記第１送信電波を受信する場合の受信強度が所定しきい値以上になるときの時間、前記第１送信電波を受信する場合の受信強度が所定しきい値を超えるときからその後当該受信強度が所定しきい値を下回るまでの時間の中間時点となる時間、および、前記第１送信電波を受信する場合の受信強度が所定しきい値を超えるときからその後当該受信強度が所定しきい値を下回るまでの間における前記受信強度が最大となるときの時間、のうち少なくとも一つを前記接近状態と判定された前記計測時間とする、
請求項６に記載の通信計測システム。
【請求項８】
前記第１送信電波は、前記第１通信装置の識別情報を含み、
前記第２送信電波は、前記第１通信装置の識別情報と前記計測時間に関する情報とを含む、請求項６または請求項７に記載の通信計測システム。
【請求項９】
送信期間を有する送信電波を送信間隔毎に送信する通信部と、
前記送信期間内に、前記送信電波に対する応答電波を他の通信装置から受信したと判別した場合、前記送信間隔を経過した次の前記送信電波を送信しないように前記通信部を制御する制御部と、
を備える通信装置。
【請求項１０】
前記制御部は、
前記他の通信装置からの送信電波を受信する受信期間において、前記他の通信装置からの送信電波を受信したときの時間、前記他の通信装置からの送信電波を受信する場合の受信強度が所定しきい値以上になるときの時間、前記他の通信装置からの送信電波を受信する場合の受信強度が所定しきい値を超えるときからその後当該受信強度が所定しきい値を下回るまでの時間の中間時点となる時間、および、前記他の通信装置からの送信電波を受信する場合の受信強度が所定しきい値を超えるときからその後当該受信強度が所定しきい値を下回るまでの間における前記受信強度が最大となるときの時間、のうち少なくとも一つを計測時間として計測し、計測した前記計測時間を前記送信電波に含めて送信するように前記通信部を制御する、請求項９に記載の通信装置。
【請求項１１】
通信装置のコンピュータに、
送信電波を送信間隔毎に送信する手順と、
前記送信電波に対する応答電波を他の通信装置から受信したと判別した場合、前記送信間隔を経過した次の前記送信電波を送信しないように制御する手順と、
を実行させる通信装置のプログラム。
【請求項１２】
通信装置のコンピュータに、
他の通信装置からの送信電波を受信する受信期間において、前記他の通信装置からの送信電波を検出する手順と、
検出したときの時間を計測時間として計測する手順と、
計測した前記計測時間を送信間隔毎に自装置が送信する送信電波に含めて送信する手順と、
前記自装置が送信する送信電波に対する応答電波を前記他の通信装置から受信したと判別した場合、前記送信間隔を経過した次の前記送信電波を送信しないように制御する手順と、
を実行させる通信装置のプログラム。
【発明の詳細な説明】
【技術分野】
【０００１】
本発明は、通信計測システム、通信装置、および通信装置のプログラムに関する。
【背景技術】
【０００２】
陸上競技のトラック競技等では、競技場のトラックを競技者が周回する。このような競技またはその競技の練習では、スタートからの累計タイムであるスプリットタイムや、例えばトラックの一周ごとのラップタイムを測定する。スプリットタイムやラップタイムの測定は、測定者がストップウォッチを押すことで行う方法もある。しかしながら、複数の競技者が同時にトラックを周回している場合、測定者は、競技者毎のストップウォッチを操作することになり、作業が大変であり、また押し忘れや押し間違えが発生する場合もあった。
【０００３】
一方、マラソン等のコースに沿って設置された計測ポイントを順に通過しながらゴールを目指すようなスポーツ競技において、競技者が計測ポイントを通過したことの判定、および通過した時間の計測等の作業を自動化するために、電子機器を使用した計測システムが用いられることがある。
このような計測システムでは、走路上に配置されたループコイルによって生成された電磁場の電磁界強度の増減に基づいて、競技者が装着する無線機器がトリガポイントを検出し、トリガポイントが検出された際に計測された時刻を含むタイム情報を前記受信側機器に向けて送信する（例えば、特許文献１参照）。
【０００４】
また、近距離無線通信規格のＢｌｕｅｔｏｏｔｈ（登録商標）  Ｌｏｗ  Ｅｎｅｒｇｙに基づいて無線通信を行う無線通信システムにおいて、通信を確立する前に識別情報であるアドバタイズパケットの送信が行われる。消費電力を低減するために、一方の通信機器は、他の通信機器が送信したスキャン要求を受信した場合、アドバタイズパケットの送信間隔を所定の間隔を変更することが提案されている（例えば、特許文献２参照）。
【先行技術文献】
【特許文献】
【０００５】
【特許文献１】特許第４８６５５２１号公報
【特許文献２】特許第５８９２１５１号公報
【発明の概要】
【発明が解決しようとする課題】
【０００６】
しかしながら、特許文献１に記載の発明の計測システムにおいて、競技者が装着する通信機器は、タイム情報を受信側の通信機器が受信できたことを確認できないため、トリガポイントを抜けるまでタイム情報を発信し続ける必要がある。そして、複数の競技者が走っているマラソン等の競技では、複数の競技者が計測ポイントを所定の時間に通過することがある。このような場合、特許文献１に記載の発明では、競技者が装着する通信機器がタイム情報の送信を継続しているため、複数の競技者が装着する通信機器同士で混信が発生する場合がある。
【０００７】
また、特許文献２に記載の発明においてペリフェラルまたはセントラルとなる通信機器が複数の場合は、アドバタイズパケットの送信間隔を変更しているのみであり、複数の通信装置が識別情報の送信を継続している。このため、特許文献２に記載の発明であっても、複数の通信機器同士で混信が発生する場合がある。
【０００８】
本発明は、上記の問題点に鑑みてなされたものであって、走者側の通信機器同士の混信を低減できる通信計測システム、通信装置、および通信装置のプログラムを提供することを目的とする。
【課題を解決するための手段】
【０００９】
上記目的を達成するため、本発明の一態様に係る通信計測システム（計測システム１）は、第１通信装置（通信機器２０）と、前記第１通信装置と通信する第２通信装置（時計１０）と、を備える通信計測システムにおいて、前記第１通信装置および前記第２通信装置それぞれは、少なくとも通信装置を識別する識別情報を含む電波（例えばアドバタイズパケット）を送受信する通信部（無線通信制御部１０７、通信制御部１０１３、無線通信制御部２０７）と、前記電波の送信を制御する制御部（制御部１０１、制御部２０１）と、を備え、前記第２通信装置の前記通信部は、送信電波を送信間隔毎に送信し、前記第２通信装置の前記制御部は、前記第１通信装置からの前記送信電波に対する応答電波を受信したと判別した場合、前記送信間隔を経過した次の前記送信電波を送信しないように前記通信部を制御する。
【００１０】
また、本発明の一態様に係る通信計測システムにおいて、前記応答電波は、前記第１通信装置から前記第２通信装置に付帯情報を送信するように要求する付帯情報送信要求（スキャンリクエスト（ＳＣＡＮ＿ＲＥＱ））を含むようにしてもよい。
【００１１】
また、本発明の一態様に係る通信計測システムにおいて、前記第２通信装置は、前記第２通信装置が使用される環境に関する状態を検出するセンサー（１０９）、および前記第２通信装置を使用する使用者に関する状態を検出するセンサー（１０９）のうち少なくとも１つを備え、前記付帯情報は、前記電波の再送信を要求する情報、前記センサーが検出した検出結果の送信を要求する情報、前記第１通信装置から電波を受信したことを示す情報のうち少なくとも１つであるようにしてもよい。
【００１２】
また、本発明の一態様に係る通信計測システムにおいて、前記第２通信装置の前記制御部は、前記電波の受信強度が所定のしきい値以上であると判別した場合に前記送信電波の送信を再開するように前記通信部を制御するようにしてもよい。
【００１３】
また、本発明の一態様に係る通信計測システムにおいて、前記第２通信装置の前記制御部は、前記応答電波を受信し、前記応答電波に含まれる要求に対する情報を送信した後、所定時間、前記第１通信装置からの電波を受信しないように前記通信部を制御するようにしてもよい。
【００１４】
また、本発明の一態様に係る通信計測システムにおいて、前記第１通信装置の前記通信部（無線通信制御部２０７）は、通信信号として第１送信電波（例えばアドバタイズパケット）を送信し、前記第２通信装置からの電波を受信する第１受信期間を設け、前記第２通信装置の前記通信部（無線通信制御部１０７、通信制御部１０１３）は、前記第１通信装置からの前記第１送信電波を受信する第２受信期間を設け、前記第２通信装置は、前記第２受信期間において受信される前記通信信号に応じて前記第２通信装置が前記前記第１通信装置と接近状態にあると前記制御部が判定する時間を計測時間として記憶する記憶部（１０６）を備え、前記第２通信装置の前記通信部は、前記記憶部が記憶する前記計測時間を第２送信電波（例えばアドバタイズパケット）として前記第１通信装置に送信するようにしてもよい。
【００１５】
また、本発明の一態様に係る通信計測システムにおいて、前記第２通信装置の前記制御部は、前記第１送信電波を受信するときの時間、前記第１送信電波を受信する場合の受信強度が所定しきい値以上になるときの時間、前記第１送信電波を受信する場合の受信強度が所定しきい値を超えるときからその後当該受信強度が所定しきい値を下回るまでの時間の中間時点となる時間、および、前記第１送信電波を受信する場合の受信強度が所定しきい値を超えるときからその後当該受信強度が所定しきい値を下回るまでの間における前記受信強度が最大となるときの時間、のうち少なくとも一つを前記接近状態と判定された前記計測時間とするようにしてもよい。
【００１６】
また、本発明の一態様に係る通信計測システムにおいて、前記第１送信電波は、前記第１通信装置の識別情報を含み、前記第２送信電波は、前記第１通信装置の識別情報と前記計測時間に関する情報とを含むようにしてもよい。
【００１７】
上記目的を達成するため、本発明の一態様に係る通信装置（時計１０）は、送信期間を有する送信電波を送信間隔毎に送信する通信部（無線通信制御部１０７、通信制御部１０１３）と、前記送信期間内に、前記送信電波に対する応答電波を他の通信装置から受信したと判別した場合、前記送信間隔を経過した次の前記送信電波を送信しないように前記通信部を制御する制御部（１０１）と、を備える。
【００１８】
また、本発明の一態様に係る通信装置において、前記制御部は、前記他の通信装置からの送信電波を受信する受信期間において、前記他の通信装置からの送信電波を受信したときの時間、前記他の通信装置からの送信電波を受信する場合の受信強度が所定しきい値以上になるときの時間、前記他の通信装置からの送信電波を受信する場合の受信強度が所定しきい値を超えるときからその後当該受信強度が所定しきい値を下回るまでの時間の中間時点となる時間、および、前記他の通信装置からの送信電波を受信する場合の受信強度が所定しきい値を超えるときからその後当該受信強度が所定しきい値を下回るまでの間における前記受信強度が最大となるときの時間、のうち少なくとも一つを計測時間として計測し、計測した前記計測時間を前記送信電波に含めて送信するように前記通信部を制御するようにしてもよい。
【００１９】
上記目的を達成するため、本発明の一態様に係る通信装置のプログラムは、通信装置のコンピュータに、送信電波を送信間隔毎に送信する手順と、前記送信電波に対する応答電波を他の通信装置から受信したと判別した場合、前記送信間隔を経過した次の前記送信電波を送信しないように制御する手順と、を実行させる。
【００２０】
上記目的を達成するため、本発明の一態様に係る通信装置のプログラムは、通信装置のコンピュータに、他の通信装置からの送信電波を受信する受信期間において、前記他の通信装置からの送信電波を検出する手順と、検出したときの時間を計測時間として計測する手順と、計測した前記計測時間を送信間隔毎に自装置が送信する送信電波に含めて送信する手順と、前記自装置が送信する送信電波に対する応答電波を前記他の通信装置から受信したと判別した場合、前記送信間隔を経過した次の前記送信電波を送信しないように制御する手順と、を実行させる。
【発明の効果】
【００２１】
本発明によれば、走者側の通信機器同士の混信を低減できる。
【図面の簡単な説明】
【００２２】
【図１】本実施形態に係る計測システムの概略を説明するための図である。
【図２】ＢＬＥにおけるアドバタイジングパケットの概略を説明するための図である。
【図３】本実施形態に係る計測システムの概略構成を示すブロック図である。
【図４】本実施形態に係る通信機器の記憶部が記憶する情報の例を示す図である。
【図５】本実施形態に係る通信機器の記憶部が記憶する情報の例を示す図である。
【図６】本実施形態に係る競技中の時計と通信機器の動作について説明する図である。
【図７】本実施形態に係る計測タイム情報の発信における間欠動作の例を示す図である。
【図８】本実施形態に係る間欠動作における時計と通信機器のシーケンス図である。
【図９】本実施形態に係る通信機器が送信した通信信号を時計が受信している状態を示す図である。
【図１０】本実施形態に係る通信機器が送信する通信信号と時計が受信する電波の強度の例を示す図である。
【図１１】本実施形態に係る通信機器が送信信号を送信し時計が受信しているときの電流波形の例を示す図である。
【図１２】本実施形態に係る時計が送信した計測タイムデータを通信機器が受信する例を説明する図である。
【図１３】本実施形態に係る時計が送信した計測タイムデータを通信機器が受信時の電流波形の例を示す図である。
【図１４】本実施形態に係る通信機器の表示部上に表示される画像の例を示す図である。
【図１５】本実施形態に係る通信機器の表示部上に表示される競技者個人の計測タイム情報の画像の例を示す図である。
【図１６】本実施形態に係る通信機器の表示部が横長の状態のときに表示される画像の例を示す図である。
【図１７】本実施形態に係る時計の表示部上に表示される計測タイム情報の画像の例を示す図である。
【図１８】本実施形態に係る時計の表示部上に表示される計測タイム情報の画像の他の例を示す図である。
【図１９】本実施形態に係る競技中に時計が常時アドバタイズパケットを送信する場合の時計と通信機器の電流波形の例を示す図である。
【発明を実施するための形態】
【００２３】
以下、本発明の実施の形態について図面を参照しながら説明する。なお、本発明の範囲は、以下の実施の形態に限定されない。
【００２４】
まず、本実施形態の概略について説明する。
図１は、本実施形態に係る計測システム１（通信計測システム）の概略を説明するための図である。図１に示すように、計測システム１は、１つ以上の時計１０（第１の時計１０−１、第２の時計１０−２、・・・；第２通信装置、通信装置）と通信機器２０（第１通信装置、通信装置）とを含んで構成される。計測システム１が複数の時計１０を備える場合、複数の時計１０の構成は同じであっても異なっていてもよい。以下の説明では、複数の時計１０の構成が同じ例を説明する。以下、本実施形態では、第１の時計１０−１、第２の時計１０−２、・・・のうち１つを特定しない場合、時計１０という。
【００２５】
時計１０と通信機器２０とは、Ｗｉ−Ｆｉ（Ｗｉｒｅｌｅｓｓ  Ｆｉｄｅｌｉｔｙ）規格や、Ｂｌｕｅｔｏｏｔｈ（登録商標）  ＬＥ（Ｌｏｗ  Ｅｎｅｒｇｙ）（以下、ＢＬＥという）規格の通信方式等である。以下の説明では、通信方式がＢＬＥの例を説明する。
【００２６】
通信機器２０は、例えば、スタート地点に設置されている。なお、実施形態では、ゴール地点がスタート地点と同じであるとする。なお、通信機器２０の存在する地点を計測を行いたい任意の場所とすることができ、スタート地点とゴール地点を相異なる任意の地点とすることができる。時計１０は、競技者が装着している。競技者は、競技開始前にトラックの周回回数の設定を、時計１０を操作して行う。また、競技者は、通信機能がオン状態になるように時計１０を操作する。時計１０は、電波のスキャン動作（第２受信期間）を開始する。通信機器２０は、例えば計測者によって操作される。計測者は、競技開始時に通信機器２０を操作して競技開始を設定する。通信機器２０は、競技開始の設定と同時に通信信号（第１送信電波）の送信を開始する。なお、通信信号とは、アドバタイジングパケットである。時計１０は、通信機器２０からのアドバタイジングパケットを受信したとき、ラップタイム（計測時間）とスプリットタイム（計測時間）の計測を開始する。時計１０は、通信機器２０からの通信信号を受信したとき、ラップタイムとスプリットタイムを計測する。時計１０は、計測したラップタイムおよびスプリットタイムと、時計１０を識別する識別情報を含むアドバタイジングパケットを通信信号（第２送信電波）として通信機器２０へ送信する。ここで、識別情報は、例えばＢｌｕｅｔｏｏｔｈ（登録商標）Ｄｅｖｉｃｅアドレスである。通信機器２０は、常時スキャン動作（第１受信期間）を行い、時計１０から受信した通信信号から識別情報とラップタイムとスプリットタイムを抽出し、識別情報にラップタイムとスプリットタイムを対応つけて記憶する。時計１０は、設定された周回回数だけ、通信機器２０からの通信信号を受信したとき計測を終了し、通信信号として通信機器２０へ送信する。なお、周回回数とは、時計１０が通信機器２０に接近した状態の回数としてカウントされる接近回数と換言できる。
また、図１において、・・・、−Ｐ２、−Ｐ１、Ｐ０、Ｐ１、Ｐ２、・・・は、時計１０が通信機器２０に接近する位置の例を示している。
【００２７】
時計１０は、通信開始後、スキャンと、アドバタイジングパケットの送信とを常時、所定の時間毎に行い、設定された周回回数、通信機器２０からの通信信号を受信したとき通信を終了する。
また、通信機器２０は、競技開始後、スキャンと、アドバタイジングパケットの送信とを常時、所定の時間毎に行い、計測者によって競技終了が設定されたときしたとき通信を終了する。
通信機器２０は、時計１０と接近した状態を検出することにより、ラップタイムやスプリットタイム等の計測を行う。通信機器２０と時計とが接近した状態は、後述する時計１０の受信する電波強度が強くなったことにより検出される。
【００２８】
このように、時計１０は、通信機器２０が送信したアドバタイジングパケットを受信したときに計測を行い、計測した結果を含めてアドバタイジングパケットを通信機器２０へ送信する。通信機器２０は、時計１０が送信したアドバタイジングパケットに含まれる計測結果を受信する。本実施形態では、時計１０と通信機器２０との間で通信の確立を行わない状態で計測を行う。すなわち、本実施形態では、時計１０、通信機器２０それぞれは、互いにスキャンを行う。
【００２９】
＜ＢＬＥにおけるアドバタイジングパケット＞
ここで、ＢＬＥにおけるアドバタイジングパケットの概略を説明する。
図２は、ＢＬＥにおけるアドバタイジングパケットの概略を説明するための図である。符号ｆ１が示す図は、パケット構造を示す図である。符号ｆ２が示す図は、アドバタイジングデータの構造を示す図である。
ＢＬＥでは、２．４ＧＨｚ帯を用いて通信を行い、チャンネル数が４０チャンネルである。アドバタイジング（Ａｄｖｅｒｔｉｓｉｎｇ）では、チェンネル３７、３８、および３９は使われる。また、図２の符号ｆ１に示すように、ＢＬＥにおけるアドバタイジングパケットの構成は、ＢＬＥのパケット構成と同じである（例えばＢＬＵＥＴＯＯＴＨ（登録商標）  ＳＰＥＣＩＦＩＣＡＴＩＯＮ  Ｖｅｒｓｉｏｎ４．０［Ｖｏｌ  １］、３６ページ〜４７ページ参照）。具体的には、アドバタイジングパケットは、ＰｒｅａｍｂｌｅとＡｃｃｅｓｓ  ＡｄｄｒｅｓｓとＰＤＵとＣＲＣにより構成される。また、Ｐｒｅａｍｂｌｅが１オクテット（Ｏｃｔｅｄ）、Ａｃｃｅｓｓ  Ａｄｄｒｅｓｓが４オクテット、ＰＤＵが２オクテット〜３８オクテット、ＣＲＣが３オクテットである。また、ＰＤＵは、ＨｅａｄｅｒとＰａｙｌｏａｄによって構成される。このＰＦＵ  Ｈｅａｄｅｒは、４ビットのＰＤＵ  Ｔｙｐｅを含んでいる。ＰＤＵ  Ｔｙｐｅは、スキャンリクエスト（ＳＣＡＮ＿ＲＥＱ）、スキャンレスポンス（ＳＣＡＮ＿ＲＳＰ）等を設定できる。そして、ＰＤＵ  Ｐａｙｌｏａｄは、ＡｄｖＡとＡｄｖＤａｔａ（Ａｄｖｅｒｔｉｓｉｎｇ  Ｄａｔａ）を含んでいる。ＡｄｖＡは、デバイスを識別するためのアドレスである。
【００３０】
また、図２の符号ｆ２に示すように、ＡｄｖＤａｔａは、３１オクテッドにより構成され、最初の1オクテットがデータの長さ、残りがＡｄ  Ｔｙｐｅ（Ａｄｖｅｒｔｉｓｉｎｇ  Ｄａｔａタイプ）とＡｄ  Ｄａｔａ（Ａｄｖｅｒｔｉｓｅｍｅｎｔ  Ｄａｔａ）により構成される（例えばＢＬＵＥＴＯＯＴＨ（登録商標）  ＳＰＥＣＩＦＩＣＡＴＩＯＮ  Ｖｅｒｓｉｏｎ４．０［Ｖｏｌ  ３］、３７５ページ参照）。そして、ＡＤ  Ｔｙｐｅの設定により、データを"Ｍａｎｕｆａｃｔｕｒｅｅｒ  Ｓｐｅｃｉｆｉｃ  Ｄａｔａ"  として利用することができる。この場合は、Ｍａｎｕｆａｃｔｕｒｅｅｒが、任意にそのＡｄ  Ｄａｔａの長さと内容を決めることができる。
本実施形態では、アドバタイジングパケットにおいて、データを"Ｍａｎｕｆａｃｔｕｒｅｅｒ  Ｓｐｅｃｉｆｉｃ  Ｄａｔａ"  として利用している。
【００３１】
図３は、本実施形態に係る計測システム１の概略構成を示すブロック図である。
時計１０は、制御部１０１、発振回路１０２、分周回路１０３、操作部１０４、表示部１０５、記憶部１０６、無線通信制御部１０７（通信部）、アンテナ１０８、センサー１０９、および電池１１０を備える。
通信機器２０は、制御部２０１、操作部２０２、表示部２０３、記憶部２０４、センサー２０５、アンテナ２０６、無線通信制御部２０７（通信部）、電池２０８、発振回路２０９、および分周回路２１０を備える。
【００３２】
まず、時計１０について説明する。
時計１０は、計時機能と通信機能を備える例えばデジタル時計である。時計１０は、通信開始後、通信機器２０からの電波を常時スキャンし、通信機器２０が送信した通信信号を検出する。通信機器２０が送信した送信信号には、通信機器２０を識別するための識別情報が含まれている。時計１０は、通信信号を受信したときラップタイムとスプリットタイムを計測する。なお、以下の説明では、ラップタイムとスプリットタイムを計測タイム情報という。時計１０は、計測した計測タイム情報と自時計１０の識別情報を含む通信信号を送信し、通信機器２０から応答信号を受信したとき通信信号の送信を停止する。時計１０は、通信機器２０からの通信信号を再び検出したとき、計測と通信信号の送信を行う。時計１０は、所定回数、通信機器２０からの通信信号を受信したとき、スキャンと計測と通信信号の送信を終了する。
【００３３】
制御部１０１は、計時部１０１１、情報処理部１０１２（制御部）、および通信制御部１０１３（通信部）を備える。制御部１０１は、分周回路１０３が出力する基準信号を用いて計時を行い、計時した結果を表示部１０５に表示させる。制御部１０１は、操作部１０４が出力する操作結果に基づいて、通信機器２０から通信信号を受信する回数を設定し、設定した回数を記憶部１０６に記憶させる。制御部１０１は、無線通信制御部１０７を制御して、通信機器２０が送信した通信信号を受信し、受信したときラップタイムとスプリットタイムを計測する。制御部１０１は、無線通信制御部１０７を制御して、識別情報と計測タイム情報を含む通信信号を通信機器２０へ送信する。
【００３４】
計時部１０１１は、内部カウンタを備え、分周回路１０３から入力された基準信号に基づいて現在時刻を計時し、計時した時刻を示す指針位置情報を内部カウンタに保持する。
【００３５】
情報処理部１０１２は、操作部１０４が出力する検出結果を記憶部１０６に記憶させる。検出結果には、例えば、通信を開始する指示、前述の接近回数等が含まれる。なお、接近回数の設定は、事前に通信機器２０と時計１０とが通信確立した状態で、通信機器２０から時計１０に送信される。なお、接近回数の設定は、通信機器２０側で行い、通信機器２０が送信する通信信号から抽出するようにしてもよい。情報処理部１０１２は、操作部１０４が通信を開始する指示を出力したとき、通信を開始する指示を通信制御部１０１３へ出力する。情報処理部１０１２は、通信制御部１０１３が出力した受信された通信信号から通信機器２０の識別情報を抽出し、抽出した通信機器２０の識別情報を記憶部１０６に記憶させる。情報処理部１０１２は、通信開始後、最初に通信信号を受信したとき計測を開始する。なお、計測開始は、時計１０が備える操作部を利用者が手動操作することにより行ってもよい。情報処理部１０１２は、２回目以降、通信信号を受信する回数、通信信号を受信したときラップタイムとスプリットタイムを計測し、計測した計測タイム情報と自時計１０の識別情報を含む送信データを生成し、生成したデータを通信制御部１０１３に出力する。情報処理部１０１２は、通信制御部１０１３が応答信号を検出したことを示す情報を出力したとき、通信信号の送信を停止する送信停止指示を通信制御部１０１３へ出力する。情報処理部１０１２は、接近回数分、通信信号を受信し、通信信号を送信した後、ラップタイムとスプリットタイムの計測を終了し、スキャンを終了するスキャン終了指示を通信制御部１０１３に出力する。なお、情報処理部１０１２は、通信機器２０から通信信号を受信したとき計測したラップタイムやスプリットタイムを計測タイム情報として送信する例を説明したが、これに限られない。情報処理部１０１２は、ラップタイム、スプリットタイムのうち１つを送信するようにしてもよい。情報処理部１０１２は、通信機器２０から通信信号を受信したときの時間を計測タイム情報として送信するようにしてもよい。なお、情報処理部１０１２は、通信機器２０から通信信号を受信したときカウントしたラップタイムとスプリットタイムを計測して記憶部１０６に記憶させた後、ラップタイムをリセットして、ラップタイムのカウントを再開する。これにより、情報処理部１０１２は、トラック１周毎のラップタイムを計測する。情報処理部１０１２は、記憶部１０６に記憶させたラップタイムとスプリットタイムを読み出して通信制御部１０１３を制御して送信する。情報処理部１０１２は、計時した時刻、スプリットタイム、ラップタイム等の画像を表示部１０５上に表示させる。なお、表示部１０５が表示する画像については、後述する。
【００３６】
通信制御部１０１３は、情報処理部１０１２が出力した通信を開始する指示に応じて、無線通信制御部１０７を制御して、通信信号（アドバタイジングパケット）の送信とスキャン動作を開始する。通信制御部１０１３は、無線通信制御部１０７を制御して、通信機器２０が送信した通信信号を検出して受信する。なお、通信制御部１０１３は、受信した電波の強度が所定のしきい値以上である場合、通信機器２０から通信信号を検出するようにしてもよい。なお、通信制御部１０１３は、例えばＲＳＳＩ（Ｒｅｃｅｉｖｅｄ  Ｓｉｇｎａｌ  Ｓｔｒｅｎｇｔｈ  Ｉｎｄｉｃａｔｏｒ）によって、受信強度を検出するようにしてもよい。ここで、通信信号の電波強度は、例えば０〜−１００ｄＢｍ程度である。通信制御部１０１３は、無線通信制御部１０７を制御して、通信機器２０へ通信信号の送信を開始する。通信制御部１０１３は、情報処理部１０１２が出力した送信停止指示に応じて、無線通信制御部１０７を制御して、通信信号の送信を終了する。通信制御部１０１３は、情報処理部１０１２が出力したスキャン終了指示に応じて、無線通信制御部１０７を制御して、スキャンを終了する。
【００３７】
発振回路１０２は、例えば水晶振動子を備える。水晶振動子は、水晶の圧電現象を利用し、その機械的共振から第１の周波数を発振するために用いられる受動素子である。水晶振動子の発振周波数は、例えば３２ｋＨｚである。発振回路１０２は、水晶振動子を発振させて生成したクロック信号を分周回路１０３に出力する。
分周回路１０３は、発振回路１０２が出力したクロック信号の信号を所望の周波数に分周し、分周した基準信号を制御部１０１に出力する。基準信号の周波数は、例えば６４Ｈｚと３２Ｈｚである。
【００３８】
操作部１０４は、例えば竜頭、プッシュスイッチである。操作部１０４は、利用者の操作を検出し、検出した操作結果を制御部１０１に出力する。竜頭の検出結果は、竜頭の回転角度等である。プッシュスイッチの検出結果は、オン状態（押された状態）、オフ状態（押されていない状態）、押された回数等である。竜頭またはプッシュスイッチの操作によって、通信開始が選択される。
【００３９】
表示部１０５は、情報を表示する装置である。表示部１０５は、一例として７セグＬＥＤ（発光ダイオード）、液晶表示装置（ＬＣＤ）、有機ＥＬ（ＥｌｅｃｔｒｏＬｕｍｉｎｅｓｃｅｎｃｅ）装置によって構成される。表示部１０５には、制御部１０１の制御に応じて、計時された現在時刻、計測されたラップタイム、スプリットタイム等が表示される。
【００４０】
記憶部１０６は、時計１０の制御に必要な情報、プログラムを記憶する。記憶部１０６は、通信信号を受信する回数を記憶する。記憶部１０６は、計測された計測タイム情報を記憶する。記憶部１０６は、自時計１０の識別情報を記憶する。
【００４１】
無線通信制御部１０７は、アンテナ１０８を介して通信機器２０へ通信信号の送信を行う。無線通信制御部１０７は、通信機器２０が送信した通信信号を、アンテナ１０８を介して受信し、受信した通信信号を制御部１０１へ出力する。無線通信制御部１０７は、時計１０に固有の識別情報を記憶する。なお、識別情報は、記憶部１０６が記憶するようにしてもよい。
【００４２】
アンテナ１０８は、無線通信制御部１０７が出力した通信信号を電波に変換して、変換した電波を通信機器２０へ送信する。アンテナ１０８は、受信した電波を電気信号に変換して、変換した電気信号を通信信号として無線通信制御部１０７に出力する。
【００４３】
センサー１０９は、例えば心拍センサー、加速度センサー、ジャイロセンサー、温度センサー、アルコールセンサー、睡眠状態を検出するセンサー、人の状態を検出するセンサー等である。センサー１０９は、検出したセンサー検出結果を制御部１０１へ出力する。
【００４４】
電池１１０は、例えばボタン電池、二次電池である。電池１１０は、蓄電されている電力を時計１０の各部へ供給する。
【００４５】
次に、通信機器２０について説明する。
図２に示すように、通信機器２０は、通信機能と表示画面を備える、例えばタブレット端末、スマートフォン等である。なお、通信機器２０は、専用の装置であってもよい。通信機器２０は、競技開始後、自装置の識別情報を含む通信信号を送信する。通信機器２０は、電波を常時スキャンし、時計１０が送信した通信信号を受信する。通信機器２０は、受信した通信信号から時計１０の識別情報と計測タイム情報を抽出し、識別情報に計測タイム情報を対応つけて記憶する。通信機器２０は、時計１０から計測タイム情報を含む通信信号を受信したとき、応答信号を時計１０へ送信する。
【００４６】
制御部２０１は、操作部２０２の操作に応じて計測を行うアプリケーションを起動する。制御部２０１は、アプリケーションが起動しているとき、操作部２０２が操作され競技の開始が指示されたことを検出する。制御部２０１は、競技の開始が指示されたことを検出したとき、無線通信制御部２０７を制御して、自装置の識別信号を含む通信信号（アドバタイジングパケット）の送信とスキャン動作を開始する。制御部２０１は、無線通信制御部２０７を制御して、時計１０が送信した通信信号を受信する。制御部２０１は、受信した通信信号から時計１０の識別情報と計測タイム情報を抽出し、抽出した時計１０の識別情報に、計測タイム情報を対応付けて、時計１０の識別情報毎に記憶部２０４に記憶させる。制御部２０１は、時計１０から計測タイム情報を含む通信信号を受信したとき、無線通信制御部２０７を制御して、応答信号を時計１０へ送信する。なお、応答信号については、後述する。制御部２０１は、操作部２０２が操作され競技の終了が指示されたことを検出する。制御部２０１は、競技の終了が指示されたことを検出したとき、無線通信制御部２０７を制御して、通信信号（アドバタイジングパケット）の送信とスキャン動作を終了する。制御部２０１は、センサー２０５のセンサー出力に基づいて、画面が縦長の状態であるか画面が横長の状態であるか、自装置の姿勢を検出する。制御部２０１は、検出した自装置の姿勢に応じて、表示部２０３に表示させる画像を変化させるようにしてもよい。表示部２０３に表示させる画像は、受信した通信信号に基づく計測結果、すなわち、競技者毎のラップタイムとスプリットタイムである。なお、表示部２０３が表示する画像については、後述する。なお、接近回数の設定を通信機器２０側で行い、通信信号に接近回数を含めて時計１０へ送信するようにしてもよい。なお、時計１０が送信した通信信号に含まれる計測タイム情報が時間の場合、制御部２０１は、受信した時間の情報を用いてラップタイムやスプリットタイムを算出し、算出したラップタイムやスプリットタイムを記憶部２０４に記憶させるようにしてもよい。なお、制御部２０１は、操作部２０２の操作によって予め設定された競技開始時間になったときに、競技開始であると判定して通信信号の送信を開始するようにしてもよい。また、制御部２０１は、内部カウンタを備え、分周回路２１０から入力された基準信号に基づいて現在時刻を計時し、計時した時刻を示す指針位置情報を内部カウンタに保持する。
【００４７】
操作部２０２は、利用者からの操作入力を検出し、検出した操作結果を制御部２０１に出力する。操作部２０２は、例えば表示部２０３上に設けられているタッチパネルセンサーである。
【００４８】
表示部２０３は、情報を表示する装置である。表示部２０３は、一例として液晶表示装置（ＬＣＤ）、有機ＥＬ（ＥｌｅｃｔｒｏＬｕｍｉｎｅｓｃｅｎｃｅ）装置によって構成される。表示部２０３には、制御部２０１の制御に応じて、例えばアプリケーションの画像等が表示される。
【００４９】
記憶部２０４は通信機器２０の制御に必要な情報、プログラム、競技の測定を行うアプリケーション等を記憶する。記憶部２０４は、時計１０の識別情報に、例えば競技者の名前を対応付けて、識別情報毎に記憶する。記憶部２０４は、時計１０の識別情報に、計測タイム情報を対応付けて、識別情報毎に記憶する。
【００５０】
センサー２０５は、通信機器２０の姿勢（画面が縦長の状態であるか、画面が横長の状態であるか）を検出するジャイロセンサーである。センサー２０５は、検出したセンサー検出結果を制御部２０１へ出力する。
【００５１】
無線通信制御部２０７は、アンテナ２０６を介して時計１０へ通信信号の送信を行う。無線通信制御部２０７は、時計１０が送信した通信信号を、アンテナ２０６を介して受信し、受信した通信信号を制御部２０１へ出力する。
【００５２】
アンテナ２０６は、無線通信制御部２０７が出力した通信信号を電波に変換して、変換した電波を時計１０へ送信する。アンテナ２０６は、受信した電波を電気信号に変換して、変換した電気信号を通信信号として無線通信制御部２０７に出力する。
【００５３】
電池２０８は、例えば二次電池である。電池２０８は、蓄電されている電力を通信機器２０の各部へ供給する。
発振回路２０９は、例えば水晶振動子を備える。水晶振動子は、水晶の圧電現象を利用し、その機械的共振から第１の周波数を発振するために用いられる受動素子である。水晶振動子の発振周波数は、例えば３２ｋＨｚである。発振回路２０９は、水晶振動子を発振させて生成したクロック信号を分周回路２１０に出力する。
分周回路２１０は、発振回路２０９が出力したクロック信号の信号を所望の周波数に分周し、分周した基準信号を制御部２０１に出力する。基準信号の周波数は、例えば６４Ｈｚと３２Ｈｚである。
【００５４】
次に、通信機器２０の記憶部２０４が記憶する情報について説明する。
図４と図５は、本実施形態に係る通信機器２０の記憶部２０４が記憶する情報の例を示す図である。
図４に示すように、記憶部２０４は、時計１０の識別子に、競技者名を対応させて記憶する。なお、時計１０の識別子は、例えば競技前に時計１０がアドバタイジングパケットを送信する。そして、通信機器２０の制御部２０１は、無線通信制御部２０７を制御して時計１０が送信したアドバタイジングパケットから識別子を抽出し、抽出した識別子を記憶部２０４に記憶させる。競技者名は、競技前に計測者が通信機器２０の操作部２０２を操作して、競技者が装着する時計を選び、競技者名を入力する。制御部２０１は、操作部２０２が操作された結果に応じて、識別子に競技者名を対応付けて記憶部２０４に記憶させる。
【００５５】
図５に示すように、記憶部２０４は、時計１０の識別子に、競技者名、スプリットタイム、ラップタイムを対応させて記憶する。なお、制御部２０１は、無線通信制御部２０７を制御して、選出がゴール地点を通過する毎に、時計１０が送信したアドバタイジングパケットからスプリットタイムとラップタイムを抽出し、抽出したスプリットタイムとラップタイムを記憶部２０４に記憶させる。例えば、“たなか太郎”が装着している時計１０は、一回目のゴール前の通過時にラップタイム“２：５８”（２分５８秒）とスプリットタイム“２：５８”を送信する。制御部２０１は、スプリットタイムに“２：５８”を記憶させ、ラップタイムＮｏ．１に“２：５８”に記憶させる。続けて、たなか太郎”が装着している時計１０は、二回目のゴール前の通過時にラップタイムに“５：５７”とスプリットタイム“２：５９”を送信する。制御部２０１は、スプリットタイムを“５：５７”に更新し、ラップタイムＮｏ．２に“２：５８”に記憶させる。
【００５６】
次に、競技中の時計１０と通信機器２０の動作について、図６〜図８を用いて説明する。
図６は、本実施形態に係る競技中の時計１０と通信機器２０の動作について説明する図である。なお、図６に示すように、時計１０は、ケース１１とベルトを備えている。
【００５７】
図７は、本実施形態に係る計測タイム情報の発信における間欠動作の例を示す図である。なお、図７に示す例において、通信機器２０は、常時アドバタイジングパケットの送信とスキャンを行い、時計１０は常時スキャンを行っている。なお、アドバタイズパケットの送信周期は、時計１０からの送信周期と通信機器２０からの送信周期とが異なる周期として設定される。また、スキャン周期は、時計１０のスキャン周期と通信機器２０のスキャン周期とが異なる周期として設定される。なお、これら両者は同一の周期として設定されてもよい。また、アドバタイズパケットの送信周期とスキャン周期とは、互いに異なる周期として設定される。なお、両者同一の周期として設定されてもよい。
【００５８】
（ステップＳ１１）時計１０の制御部１０１は、例えば電波強度がしきい値を超えたとき通信機器２０からの電波を検出する。続けて、制御部１０１は、電波を受信したときラップタイムとスプリットタイムの計測を行い、計測タイム情報のＡＤＶＥＲＴＩＳＩＮＧ  ＤＡＴＡ（アドバタイジングデータ）を含むアドバタイジングパケットを通信機器２０へ送信する。
【００５９】
（ステップＳ１２）通信機器２０の制御部２０１は、時計１０が送信したアドバタイジングパケットを受信できたとき、受信したアドバタイジングパケットから時計１０の識別情報と計測タイム情報を抽出する。ここで、時計１０の識別情報は、時計１０の無線通信制御部１０７に固有のアドレスである。続けて、制御部２０１は、抽出した識別情報を送信先とし、送信先と送信元の通信機器のアドレスである自装置の識別情報を含むアドバタイジングパケットを時計１０に送信する。なお、制御部２０１は、アドバタイジングパケットのＰＤＵ  ＴｙｐｅをＳＣＡＮ  ＲＥＱＵＥＳＴ（スキャンリクエスト）（応答信号；付帯情報送信要求）に設定して応答信号として送信する。なお、制御部２０１は、スキャンリクエストとして付帯情報を負荷してもよい。付帯情報とは、時計１０からアドバタイズパケットを受信したことを示す情報、例えば現在３０周目であるとき２９周目までのラップライムの送信を要求する指示情報、センサーが検出したセンサー検出結果の送信を要求する指示情報、計測タイム情報の再送信を要求する指示情報等である。
【００６０】
（ステップＳ１３）時計１０の制御部１０１は、通信機器２０が送信したＳＣＡＮ  ＲＥＱＵＥＳＴに設定されたアドバタイジングパケットを応答信号として受信し、受信したアドバタイジングパケットから通信機器２０の識別情報とＰＤＵ  Ｔｙｐｅを抽出する。続けて、制御部１０１は、ＳＣＡＮ  ＲＥＱＵＥＳＴに送信元と送信先のアドレスが含まれるので、通信機器２０から要求された、すなわち、通信機器２０が計測タイム情報を受け取ったと判別する。続けて、制御部１０１は、アドバタイジングパケットのＰＤＵ  ＴｙｐｅをＳＣＡＮ  ＲＥＳＰＯＮＳＥ  ＤＡＴＡ（スキャンレスポンスデータ）に設定して送信し、送信後アドバタイズパケットの送信を停止する。
【００６１】
なお、制御部１０１は、電波強度がしきい値を超えたとき通信機器２０からの電波を検出できたとき、ステップＳ１１の処理に戻りアドバタイズパケットの送信を再開する。このような動作を、実施形態では間欠動作という。
【００６２】
また、通信機器２０がＳＣＡＮ  ＲＥＱＵＥＳＴとして付帯情報を送信した場合、時計１０の制御部１０１は、ＳＣＡＮ  ＲＥＳＰＯＮＳＥ  ＤＡＴＡにリクエストされた情報を含めて送信する。通信機器２０の制御部２０１は、受信した通信信号から情報を抽出する。受信した情報が加速度センサーによって検出された値を用いて、制御部２０１は、ラップタイムと加速度を用いて歩数を算出し、算出した歩数からピッチやストライド（歩幅）等を算出するようにしてもよい。そして、制御部２０１は、算出した値を記憶部２０４に記憶させ、表示部２０３上に表示させるようにしてもよい。なお、歩数、ピッチ、ストライドは、時計１０の制御部１０１が算出するようにしてもよい。この場合、付帯情報は、歩数、ピッチ、ストライドの送信を要求する指示情報であってもよい。
【００６３】
図８は、本実施形態に係る間欠動作における時計１０と通信機器２０のシーケンス図である。
（ステップＳ２１）通信機器２０の制御部２０１は、競技開始後、アドバタイジングパケットの送信を開始する。以後、制御部２０１は、アドバタイジングパケットの送信と、スキャンを常時行う。
【００６４】
（ステップＳ２２）時計１０の制御部１０１は、通信機器２０からの電波を検出し、受信する。
（ステップＳ２３）時計１０の制御部１０１は、計測を開始する。続けて、制御部１０１は、計測タイム情報を含むＡＤＶＥＲＴＩＳＩＮＧ  ＤＡＴＡであるアドバタイジングパケットを送信する。
【００６５】
（ステップＳ２４）通信機器２０の制御部２０１は、時計１０が送信した電波を検出し、アドバタイジングパケットを受信する。
（ステップＳ２５）通信機器２０の制御部２０１は、受信したアドバタイジングパケットから時計１０の識別情報と計測タイム情報が抽出できた場合、ＰＤＵ  ＴｙｐｅをＳＣＡＮ  ＲＥＱＵＥＳＴに設定したアドバタイジングパケットを送信する。
【００６６】
（ステップＳ２６）時計１０の制御部１０１は、通信機器２０が送信したＳＣＡＮ  ＲＥＱＵＥＳＴに設定したアドバタイジングパケットを受信する。
（ステップＳ２７）時計１０の制御部１０１は、受信したアドバタイジングパケットのＰＤＵ  ＴｙｐｅがＳＣＡＮ  ＲＥＱＵＥＳＴの場合、ＳＣＡＮ  ＲＥＱＵＥＳＴに含まれる付帯情報を抽出する。続けて、制御部１０１は、付帯情報に応じた情報を、ＰＤＵ  ＴｙｐｅをＳＣＡＮ  ＲＥＳＰＯＮＳＥ  ＤＡＴＡに設定したアドバタイジングパケットとして送信する。
【００６７】
（ステップＳ２８）通信機器２０の制御部２０１は、時計１０が送信したＳＣＡＮ  ＲＥＳＰＯＮＳＥ  ＤＡＴＡを受信する。制御部２０１は、受信したＳＣＡＮ  ＲＥＳＰＯＮＳＥ  ＤＡＴＡから付帯情報と識別情報を抽出し、識別情報に付帯情報を対応付けて記憶部２０４に記憶させる。
【００６８】
（ステップＳ２９）時計１０の制御部１０１は、ＰＤＵ  ＴｙｐｅをＳＣＡＮ  ＲＥＳＰＯＮＳＥ  ＤＡＴＡに設定したアドバタイジングパケットを送信後、アドバタイズパケットの送信を停止する。
【００６９】
（ステップＳ３０）時計１０の制御部１０１は、所定時間、スキャンを停止する。または、制御部１０１は、ＳＣＡＮ  ＲＥＳＰＯＮＳＥ  ＤＡＴＡを送信後にアドバタイジングパケットを受信しても、識別情報が通信機器２０である場合、計測とアドバタイズパケットの送信を所定時間行わない。ステップＳ２８の処理の理由は、ゴール地点を競技者が通過時に、計測タイム情報の送信後にアドバタイジングパケットを検出してステップＳ２２の処理が行われるのを防ぐためである。
【００７０】
（ステップＳ３１）通信機器２０の制御部２０１は、アドバタイジングパケットを送信する。
（ステップＳ３２）時計１０の制御部１０１は、所定時間（マスク期間）後、スキャンを再開する。なお、マスク期間については、後述する。
【００７１】
時計１０の制御部１０１と、通信機器２０の制御部２０１は、以後、時計１０を装着した時計１０がゴール地点を通過毎に、ステップＳ２１〜ステップＳ３２の処理を繰り返す。すなわち、時計１０は、ゴール地点で通信機器２０からの電波を検出したとき計測を行い、計測タイム情報をアドバタイズパケットに含めて送信し、送信した後、通信機器２０から応答信号を受信したらアドバタイズパケットの送信を停止する。このように、時計１０は、ゴール地点で計測と計測結果を送信するときにアドバタイズパケットの送信を行い、ゴール地点以外の期間、送信を停止している。そして、時計１０は、一周して再びゴール地点で電波が検出されたとき、アドバタイズパケットの送信を再開する。
そして、時計１０の制御部１０１は、設定された回数、ゴール前を通過したとき、計測を終了する。通信機器２０の制御部２０１は、計測者が操作部２０２を操作して競技の終了を設定したとき、アドバタイジングパケットの送信とスキャンを終了する。
【００７２】
ここで、仮に複数の競技者が同時にトラックを走っている場合を考える。ゴール地点をほぼ同時に複数の競技者が通過した場合に、複数の競技者が装着している時計１０それぞれが常時アドバタイズパケットを送信していると、競技者の時計１０同士が混信する可能性もある。
【００７３】
一方、本実施形態の時計１０と通信機器２０は、互いに通信信号（アドバタイジングパケット）に識別情報以外の情報も含めて送信し、通信の確立（ペアリング）処理を行わない。これにより、時計１０は、通信機器２０との通信を維持せずに、計測タイム情報の送信が必要なときのみ、計測タイム情報を含むアドバタイジングパケットを送信するようにした。
【００７４】
これにより、本実施形態によれば、複数の競技者が同じトラックを走っている場合、複数の時計１０かそれぞれかは、ゴール地点付近でのみ通信信号を送信するようにしたので、複数の時計１０同士の混信を回避することができる。さらに、本実施形態によれば、計測に必要な時だけ競技者が装着している時計１０がアドバタイズパケットを発信するので省電力となる。
【００７５】
また、ステップＳ３０とステップＳ３２の処理によって、制御部１０１は、ＳＣＡＮ  ＲＥＳＰＯＮＳＥ  ＤＡＴＡの送信後に、通過中のゴール地点でアドバタイジングパケットが送信された場合であっても、時間の計測や計測タイム情報の送信を防ぐことができるので、時計１０同士の混信を低減することができる。さらに、ステップＳ２９とステップＳ３１の処理によって、制御部１０１は、ＳＣＡＮ  ＲＥＳＰＯＮＳＥ  ＤＡＴＡの送信後に、通過中のゴール地点でアドバタイジングパケットが送信された場合であっても、時間の計測や計測タイム情報の送信を防ぐことができるので、時計１０の消費電力を低減することができる。
【００７６】
なお、上述した例では、時計１０がゴール地点を通過毎に計測タイム情報を送信する例を説明したが、これに限られない。時計１０の制御部１０１は、ゴール地点を通過毎に計測を行い、計測した計測タイム情報を記憶部１０６に記憶させる。そして、制御部１０１は、設定された計測回数終了後、全ての計測タイム情報を記憶部１０６から読み出し、読み出した全ての計測タイム情報をまとめて通信機器２０へ送信するようにしてもよい。
【００７７】
次に、通信機器２０の通信信号の送信と時計１０の通信信号の受信について説明する。
図９は、本実施形態に係る通信機器２０が送信した通信信号を時計１０が受信している状態を示す図である。
図９に示すように、競技開始後、通信機器２０は、自装置の識別信号を含む通信信号（アドバタイジングパケット）を常時送信する。
時計１０は、通信開始後、常時スキャンを行い、通信機器２０からの通信信号（アドバタイジングパケット）を検出して受信する。時計１０は、通信機器２０が送信した通信信号を検出できたとき、ラップタイムとスプリットタイムの計測を行う。
【００７８】
図１０は、本実施形態に係る通信機器２０が送信する通信信号と時計１０が受信する電波の強度の例を示す図である。図１０において、横軸は時刻と位置と接近回数であり、縦軸は信号強度である。また、波形ｇ１は、通信機器２０が送信する通信信号である。波形ｇ２は、時計１０が受信する通信信号の電波である。
【００７９】
波形ｇ１のように、通信機器２０は、競技開始後、所定の時間（ｔ１，ｔ２，ｔ３，ｔ４，・・・）毎に通信信号（アドバタイジングパケット）を送信する。
時計１０は、常時スキャンを行い、通信機器２０からの電波を受信する。時計１０の通信制御部１０１３は、電波の受信強度がしきい値未満である時刻ｔ１、ｔ２、およびｔ７のとき、通信信号を受信できていないと判別し、電波の受信強度がしきい値以上である時刻ｔ３、ｔ５、ｔ６、およびｔ９のとき、通信信号を受信できていると判別する。この状態が、時計１０が通信機器２０に接近している状態を表している。このように、時計１０の移動行程に応じた時計１０と通信機器２０との接近状態の変化を、図１０は表現している。
【００８０】
本実施形態では、図１を用いて説明したように、通信機器２０がゴール地点（位置Ｐ０）に設置され、競技者が時計１０を装着してトラックを走っている。このため、時計１０は、徐々に通信機器２０に近づき、それにともない受信する電波の受信強度が強くなる。図７に示す例では、位置−Ｐ１で受信する電波強度がしきい値を超え、位置Ｐ０で受信する電波強度が最大値となる。また、ゴール前を通過した後、受信する電波強度が下がっていき位置Ｐ２でしきい値を下回る。本実施形態では、受信する電波強度がしきい値以上となるときに、時計１０が計時を行う。図１０に示す例では、時計１０は、時刻ｔ３（位置−Ｐ１）で接近回数が１回目（Ｎ回目／Ｎは整数、以降同じ）のときの計時を行い、時刻ｔ９（位置−Ｐ１）で接近回数が２回目（Ｎ＋１回目）のときの計時を行う。そして、時計１０は、後述するように、受信する電波強度がしきい値以上の期間（例えば時刻ｔ３〜ｔ６）に、複数回の計時を行わないように、通信機器２０からの通信信号を受信しないように受信する電波強度がしきい値を超えたときから、しきい値以下となったときまでのマスク期間ＴＭ（時刻ｔ４〜ｔ８）を設ける。なお、マスク期間ＴＭは、予め定められた所定時間であってもよく、しきい値を超えた後からしきい値以下となったときを含む時間であってもよい。なお、通信機器２０が通信信号を送信する間隔は、例えば数百ｍｓｅｃである。また、マラソン等の競技者は、例えば１ｋｍ／３分程度で走っている。この場合の速度は、約０．５ｍ／１００ｍｓｅｃである。図１では説明のために位置Ｐを模式的に示しているが、通信信号の送信間隔が１００ｍｓｅｃの場合、時計１０が通信機器２０に接近する位置の間隔は、約０．５ｍである。このように位置の間隔が短いため、また、接近回数毎に同じ位置で計測できるため、位置Ｐ０ではなく、位置−Ｐ１で接近回数毎に計測しても支障が無い。また、仮に、位置Ｐ−１で、時計１０が通信機器２０からの電波を受信できなくても、次の位置Ｐ０で受信して計測できるため、計測に支障がない。このように、本実施形態では、マスク期間ＴＭ以外のときに受信した電波の受信強度がしきい値以上のとき、時計１０が電波を受信できたと判別して計測を行い、計測した計測タイム情報を含む通信信号（アドバタイジングパケット）を通信機器２０へ送信する。
【００８１】
また、本実施形態では、時刻ｔ３（位置−Ｐ１）で受信する電波強度がしきい値を超え、当該電波強度がしきい値を下回る時刻ｔ７（位置Ｐ２）までの間で電波強度が最大値となる時刻ｔ５（地点Ｐ０）において、時計１０が計時を行うことができる。この場合、図示しないが、電波強度がしきい値以上となるピーク（極大値）が複数あるときは、最も大きいピークを、時計１０が計時することとなる。
また、受信する電波強度がしきい値を超えるときの時刻ｔ３（位置−Ｐ１）から、その後、当該電波感度がしきい値を下回る時刻ｔ７（位置Ｐ２）までの期間の中間時点を、時計１０が計時を行う時点とすることができる。この場合、しきい値を超える時刻と下回る時刻とから、簡便に時計１０が計測する時間を算出できることになる。
なお、受信する電波強度がしきい値を超えるときの当該しきい値と、その電波強度がしきい値を下回るときの当該しきい値とは、異なる値とすることは当然に可能である。この場合は、実情に応じた計測時刻を効果的に算出できる。
【００８２】
なお、時計１０の制御部１０１は、通信機器２０からの通信信号を受信し、受信した通信信号から通信機器２０の識別情報を抽出する。そして、制御部１０１は、通信機器２０からの通信信号を受信した時間を計測したのち、所定時間内に再度同じ識別情報を含む通信信号を受信した場合であっても、計測を行わないマスク処理を行うことができる。時計１０は、この計測を行わない期間をマスク期間として予め設定しておくことができる。このマスク処理の理由は、ゴール地点を競技者が通過時に、計測タイム情報の送信直後にアドバタイジングパケットを再度検出して再計測や計測タイム情報の再送信の処理が行われるのを防ぐためである。
【００８３】
また、当該マスク期間を、所定時間として設定するだけではなく、所定条件により設定することができる。この所定条件は、例えば、時計１０が通信機器２０からの通信信号を受信したのち、通信信号の受信強度がしきい値を下回った条件とすることができる。この場合、マスク期間は、時計１０が通信機器２０からの通信信号を受信した時点から、通信信号の受信強度がしきい値を下回る時点までの期間となる。
マスク処理を実行しないと、時計１０と通信機器２０とが通信する回数が、両者が接近する接近回数より多くなることがある。これは、競技者がゴール付近を完全に通過しきれない場合に、しきい値強度以上の通信をむやみに繰り返してしまう場合が考えられる。そこで、マスク処理を実行することにより、このような事象を防ぐことができる。この場合には、時計１０と通信機器２０とが接近する接近回数が通信回数と同等となる。これにより、余計な通信を不要としつつ効率的に接近回数を検出できるような計測処理を実現できる。
【００８４】
また、当該マスク期間を設定せず、受信強度がしきい値を超え、受信強度がしきい値を下回るまでの間で受信強度が最大値となる時点を、時計１０が計時を行うとすることによっても、効率的に接近回数を検出できるような計測処理を実現できる。
また、当該マスク期間を設定せず、受信強度がしきい値を超えるときから、当該受信強度がしきい値を下回るまでの期間の中間時点を、時計１０が計時を行うとすることによっても、効率的に接近回数を検出できるような計測処理を実現できる。
なお、これらの、受信強度がしきい値を超えるときの当該しきい値と、受信強度がしきい値を下回るときの当該しきい値とが、互いに異なる値とすることによっても、効率的に接近回数を検出できるような計測処理を実現できる。
【００８５】
図１１は、本実施形態に係る通信機器２０が送信信号を送信し時計１０が受信しているときの電流波形の例を示す図である。
図１１において横軸は時刻である。波形ｇ１１は、通信時に通信機器２０に流れる電流波形である。波形ｇ１２は、通信時に時計１０に流れる電流波形である。また、期間Ｔ１は、アドバタイズインターバル（Ａｄｖｅｒｔａｉｓｅ  Ｉｎｔｅｒｖａｌ）である。期間Ｔ２は、スキャンインターバル（Ｓｃａｎ  Ｉｎｔｅｒｖａｌ）である。期間Ｔ３は、スキャンウィンドウ（Ｓｃａｎ  Ｗｉｎｄｏｗ）である。また、符号Ｒｘは、受信を表している。また、期間Ｔ３は、第２受信期間である。
【００８６】
通信機器２０は、時刻ｔ１２，ｔ１６，ｔ２２のとき、アドバタイジングパケットを送信する。これにより、通信機器２０には、波形ｇ１１に示すように、時刻ｔ１２〜ｔ１３，ｔ１７〜ｔ１８，ｔ２２〜ｔ２３の期間、電流が流れる。
時計１０には、波形ｇ１２に示すように、スキャンウィンドウの期間Ｔ３（時刻ｔ１１〜ｔ１４，ｔ１５〜ｔ１６，ｔ１９〜ｔ２０，ｔ２１〜ｔ２４）に電流が流れる。また、時計１０は、期間Ｔ３の間に電波を検出できた場合、通信機器２０が送信したアドバタイジングパケットを受信する。図１１に示す例では、時計１０が、時刻ｔ１１〜ｔ１４と時刻ｔ２１〜ｔ２４に受信し、時刻ｔ１５〜ｔ１６と時刻ｔ１９〜ｔ２０に受信していない例である。また、時刻ｔ１７〜ｔ１８の期間、アドバタイジングパケットが送信されているが、期間Ｔ３外であるため、時計１０は受信しない。
【００８７】
次に、時計１０が送信した計測タイムデータを通信機器２０が受信する例を説明する。
図１２は、本実施形態に係る時計１０が送信した計測タイムデータを通信機器２０が受信する例を説明する図である。
【００８８】
時計１０は、通信機器２０からアドバタイジングパケットを受信したとき、ラップタイムとスプリットタイムを計測し、計測した計測タイム情報と自時計１０の識別情報を含むアドバタイジングパケットを通信機器２０へ送信する。
【００８９】
通信機器２０は、常時スキャンを行い、時計１０からのアドバタイジングパケットを検出する。なお、通信機器２０は、時計１０と同様に電波強度に基づいて、電波を検出するようにしてもよい。通信機器２０は、受信したアドバタイジングパケットから時計１０の識別情報と計測タイム情報を抽出し、抽出した計測タイム情報を識別情報と対応付けて記憶部２０４に記憶させる。
通信機器２０は、受信したアドバタイジングパケットから抽出した時計１０の識別情報を用いて、複数の時計１０を識別する。通信機器２０は、記憶部２０４が記憶する情報に基づいて、計測結果を表示部２０３に表示させる。図１２に示す例は、３つの時計１０（第１の時計１０−１、第２の時計１０−２、第３の時計１０−３）から計測タイム情報を受信した例である。表示部２０３上には、第１の時計１０−１の計測タイム情報ｄ１、第２の時計１０−２の計測タイム情報ｄ２、第３の時計１０−３の計測タイム情報ｄ３が表示されている。
【００９０】
図１３は、本実施形態に係る時計１０が送信した計測タイムデータを通信機器２０が受信時の電流波形の例を示す図である。図１３において横軸は時刻である。波形ｇ２１は、通信時に通信機器２０に流れる電流波形である。波形ｇ２２は、通信時に時計１０に流れる電流波形である。
【００９１】
通信機器２０は、波形ｇ２１に示すように、スキャンウィンドウの期間（時刻ｔ３１〜ｔ３４、ｔ３７〜ｔ４０）に電流が流れる。
時計１０には、波形ｇ２２に示すように、アドバタイジングパケットを送信している期間（時刻ｔ３２〜ｔ３３、ｔ３５〜ｔ３６、ｔ３８〜ｔ３９）に電流が流れる。
通信機器２０は、スキャンウィンドウの期間に時計１０からの電波を検出できたとき、アドバタイジングパケットを受信する。図１３に示す例では、通信機器２０が、時刻ｔ３２〜ｔ３３と時刻ｔ３８〜ｔ３９に受信し、時刻ｔ３５〜ｔ３６に受信していない例である。
また、スキャン動作を行っている期間（時刻ｔ３１〜ｔ３４、ｔ３７〜ｔ４０）は、第１受信期間である。
【００９２】
次に、通信機器２０の表示部２０３上に表示される画像の例を説明する。
図１４は、本実施形態に係る通信機器２０の表示部２０３上に表示される画像の例を示す図である。
図１４に示す例では、競技者毎にリスト化して表示する例である。符号ｄ１１が示す領域の画像は、競技者名“たなか太郎”の計測タイム情報である。符号ｄ１２が示す領域の画像は、競技者名“やまだ一郎”の計測タイム情報である。符号ｄ１３が示す領域の画像は、競技者名“さとう弘樹”の計測タイム情報である。
【００９３】
図１４に示す例では、通信機器２０が設置されているゴール地点を、時計１０を装着している競技者が最後に通過したときの最新のラップタイム（ＬＡＰ）とスプリットタイム（ＳＰＬＩＴ）を表示している。例えば、競技者名“たなか太郎”の３６回目（Ｎｏ．３６）のラップタイムが２：５９（２分５９秒）であり、スプリットタイムが１：４７：５９（１時間４７分５９秒）である。
なお、通信機器２０の制御部２０１は、例えばスプリットタイムの速い順や遅い順、名前順（例えばあいうえお順、ＡＢＣ順）等、ソートして表示するようにしてもよい。この場合、制御部２０１は、表示部２０３にソートを指示するためのボタンの画像ｄ１４を表示させるようにしてもよい。
【００９４】
また、計測者が、符号ｄ１１が示す領域をタップされて選択したこと検出した場合、制御部２０１は、図１５に示すように競技者個人の計測タイム情報をリスト化して表示する。
図１５は、本実施形態に係る通信機器２０の表示部２０３上に表示される競技者個人の計測タイム情報の画像の例を示す図である。
図１５に示す例では、制御部２０１が、取得順に表示させている例である。符号ｄ２１が示す領域の画像は、競技者名“たなか太郎”と項目“ＬＡＰ（ラップタイム）  ＳＰＬＩＴ（スプリットタイム）”である。符号ｄ２２が示す領域の画像は、一回目のラップタイム“Ｎｏ．０１”とスプリットタイムである。符号ｄ２３が示す領域の画像は、二回目のラップタイム“Ｎｏ．０２”とスプリットタイムである。符号ｄ２４が示す領域の画像は、三回目のラップタイム“Ｎｏ．０３”とスプリットタイムである。符号ｄ２５が示す領域の画像は、四回目のラップタイム“Ｎｏ．０４”とスプリットタイムである。符号ｄ２６が示す領域の画像は、五回目のラップタイム“Ｎｏ．０５”とスプリットタイムである。符号ｄ２７が示す領域の画像は、ソートを指示するためのボタンの画像である。
【００９５】
なお、降順、昇順どちらでもよく、ソートを指示するボタンが押されたときソートし直して表示させるようにしてもよい。
また、予め１周分（１ラップ分）の距離が計測者によって入力されている場合、制御部２０１は、競技者の速度を計算して、計算した速度もラップ毎に表示させるようにしてもよい。
また、符号ｄ２１の領域がタップされて選択されたことを検出した場合、制御部２０１は、図１５に示した画像の表示状態から図１４に示した表示状態に遷移させるようにしてもよい。
また、ラップタイムの数が多く１画面で表示できない場合、制御部２０１は、表示部２０３上で上下方向に指がスライドされたことを操作部２０２によって検出することで、画面をスクロールさせて表示させるようにしてもよい。
【００９６】
また、制御部２０１は、センサー２０５が検出したセンサー検出結果に基づいて、通信機器２０の画面の状態が縦長の状態（図１４、図１５）から横長の状態（図１６）に変化したかを検出し、検出結果に応じて表示画面を切り替えるようにしてもよい。
図１６は、本実施形態に係る通信機器２０の表示部２０３が横長の状態のときに表示される画像の例を示す図である。なお、図１６に示す例は、図１５の画像が表示されているときに通信機器２０を横長の状態にしたときに表示される画像ｄ３１の例である。
制御部２０１は、通信機器２０が横長の状態であることを検出したとき、図１５に示したデータをグラフ化した画像を生成し、生成した画像を表示部２０３上に表示させる。図１６において、横軸がラップタイムの測定回数であり、縦軸がラップタイムである。
なお、制御部２０１は、図１６に示した横長の状態から縦長の状態に戻されたとき、図１５の表示に遷移させるようにしてもよい。
【００９７】
次に、時計１０の表示部１０５上に表示される画像の例を説明する。
図１７は、本実施形態に係る時計１０の表示部１０５上に表示される計測タイム情報の画像の例を示す図である。
図１７において、符号ｄ４１が示す領域の画像は、スプリットタイム（ＳＰＬＩＴ）の計測結果の画像である。符号ｄ４２が示す領域の画像は、ラップタイム（ＬＡＰ）の計測結果の画像である。図１７に示す例は、３６回目（Ｎｏ．３６）のラップタイムが“０：０２：５８”（２分５８秒）であり、スプリットタイムが“１：４７：５８”（１時間４７分５８秒）の例である。
【００９８】
図１８は、本実施形態に係る時計１０の表示部１０５上に表示される計測タイム情報の画像の他の例を示す図である。図１８に示す例は、表示部１０５の表示可能な解像度が図１６に示した例より高い場合の例である。
このような場合、制御部１０１は、符号ｄ５１が示す領域の画像のように、計測した複数のラップタイムと複数のスプリットタイムを表示させるようにしてもよい。図１８に示す例は、最新の４つのラップタイムとスプリットタイムそれぞれを表示している例である。
【００９９】
また、制御部１０１は、操作部１０４が操作された操作結果に応じて、符号ｄ５１に示す領域の画像から、符号ｄ５２が示す領域の画像に切り替えて表示させるようにしてもよい。このような場合、制御部１０１は、例えば表示部１０５上に表示可能な最新の４つのラップタイムとスプリットタイムそれぞれを記憶部１０６に記憶させておき、記憶させた情報をグラフ化して画像を生成するようにしてもよい。または、制御部１０１は、競技のデータを全て記憶部１０６に記憶させ、最新の４つのラップタイムとスプリットタイムそれぞれを記憶部１０６から読み出して表示させるようにしてもよい。
【０１００】
なお、上述した例では、時計１０と通信機器２０を、競技者がトラックを走る競技における時間の計測に用いる例を説明したが、これに限られない。時計１０と通信機器２０を、例えば出勤の管理を行うシステムに適用してもよい。このような通信計測システムでは、時計１０を装着した社員が、タイムカード装置である通信機器２０からのアドバタイズを受信したとき計時を行い、計時した時間情報を通信機器２０へ送信する。そして、通信機器２０は、記憶部２０４に予め時計１０の識別情報に社員番号や名前等を対応付けて記憶させておく。そして、通信機器２０は、受信した時間情報を、社員番号や名前に対応付けて記憶させることで、出勤時間や退社時間の管理を行う。この場合であっても、時計１０は、通信機器２０からの応答信号を受信した後、アドバタイズパケットの送信を停止する。これにより、実施形態の時計１０は、タイムカード装置である通信機器２０の前を通るときだけ通信を行うため、複数の社員それぞれが装着する時計１０同士の混信の低減と、消費電力の低減を行うことができる。なお、時計１０は、図３に示した構成要素を備える専用の通信装置であってもよい。
【０１０１】
以上のように、本実施形態では、時計１０が、通信機器２０が送信する通信信号を受信したときを接近状態のトリガとして、ラップタイムやスプリットタイムの計測を行い、計測結果をアドバタイズパケットで通信機器２０へ送信するようにした。そして、計測タイムデータの送信後、時計１０のアドバタイズパケットの送信を行わないようにした。これにより、本実施形態によれば、競技者が装着する時計１０が必要な時だけ送信するので、競技者側の時計１０同士の混信を軽減できる。また、本実施形態によれば、時計１０は、必要な時だけアドバタイズパケットを送信するので省電力化される。
【０１０２】
また、本実施形態によれば、従来のマラソン競技におけるアンテナを有するマットと比較して、計測タイム情報の送受信に使用する近距離無線通信の受信信号強度の増減からトリガ信号を判断することで、チャネル特定用のアンテナの数を減らすことができる。また、本実施形態によれば、大掛かりな装置が必要ない。
また、本実施形態によれば、トリガポイントをタブレット端末等の通信機器２０のプログラムで実現することで、システムの構築が容易となる。
さらに本実施形態によれば、競技者が装着する時計１０をスマートフォン、スマートウォッチなどの汎用装置を用いてもよく、汎用装置にインストールされるプログラムで実現することで専用端末を必要としなくなる。
【０１０３】
なお、上述した例では、時計１０と通信機器２０とが、間欠動作を行う例を説明したが、これに限られない。混信が発生しない場合や混信の影響が少ない場合、時計１０は、計測タイム情報を含む常時アドバタイズパケットの送信を行うようにしてもよい。なお、混信が発生しない場合や混信の影響が少ない場合とは、例えば競技者が１人または少人数（例えば２，３人）の場合、競技者のスタート時間が異なっていてゴール地点の通過時間が異なる場合等である。
【０１０４】
図１を用いて前述した各部の処理との差異を説明する。
まず、時計１０について説明する。
時計１０は、通信開始の指示に応じて、通信信号（アドバタイズパケット）の送信とスキャンとを常時行う。そして、時計１０は、接近回数分、通信信号を受信したとき、計測と通信信号（アドバタイズパケット）の送信とスキャンとを終了する。また、時計１０は、通信機器２０がＳＣＡＮ  ＲＥＱＵＥＳＴを送信しないため、ＳＣＡＮ  ＲＥＱＵＥＳＴへの応答であるＳＣＡＮ  ＲＥＳＰＯＮＳＥ  ＤＡＴＡの送信を行わない。
【０１０５】
次に、通信機器２０について説明する。
通信機器２０は、ＡＤＶＥＲＴＩＳＩＮＧ  ＤＡＴＡ（アドバタイジングデータ）を含むアドバタイジングパケットを受信したとき、ＳＣＡＮ  ＲＥＱＵＥＳＴを送信しない。
【０１０６】
次に、競技中に時計１０が常時アドバタイズパケットを送信する場合の動作について、図１９を用いて説明する。
図１９は、本実施形態に係る競技中に時計１０が常時アドバタイズパケットを送信する場合の時計１０と通信機器２０の電流波形の例を示す図である。図１９において横軸は時刻である。波形ｇ３０は、通信機器２０に流れる電流波形である。波形ｇ３１は、送信時に通信機器２０に流れる電流波形である。波形ｇ３２は、受信時に通信機器２０に流れる電流波形である。波形ｇ４０は、時計１０に流れる電流波形である。波形ｇ４１は、受信時に時計１０に流れる電流波形である。波形ｇ４２は、送信時に時計１０に流れる電流波形である。
【０１０７】
波形ｇ３１に示すように、通信機器２０は、時刻ｔ５２〜ｔ５３、ｔ６１〜ｔ６３、ｔ７２〜ｔ７３のとき、アドバタイジングパケットを送信する。
波形ｇ３２に示すように、通信機器２０は、時刻ｔ５４〜ｔ５９、ｔ６６〜ｔ６９のとき、電波を検出できた場合にアドバタイジングパケットを受信する。
【０１０８】
波形ｇ４１に示すように、時計１０は、時刻ｔ５１〜ｔ５５、ｔ５８〜ｔ６０、ｔ６５〜ｔ６７、ｔ７１〜ｔ７４のとき、電波を検出できた場合にアドバタイジングパケットを受信する。
波形ｇ４２に示すように、時計１０は、時刻ｔ５６〜ｔ５７、ｔ６２〜ｔ６４、ｔ６８〜ｔ６９、ｔ７５〜ｔ７６のとき、アドバタイジングパケットを送信する。
【０１０９】
図１９に示すように、時計１０と通信機器２０それぞれは、常時アドバタイズパケットの送信とスキャンを行う。
具体的には、図１９に示しように、時計１０と通信機器２０それぞれは、常時アドバタイズパケットの送信とスキャンを、例えば所定の周期で交互に行う。
時計１０は、スキャン中に通信機器２０からのアドバタイジングパケットを受信できたとき（時刻ｔ５１〜ｔ５５、ｔ７１〜ｔ７４）、計測を行い、次の送信タイミング（時刻ｔ５６〜ｔ５７、ｔ７５〜ｔ７６）に計測タイム情報を送信する。
通信機器２０は、スキャン中に通信機器２０からのアドバタイジングパケットを受信できたとき（時刻ｔ５４〜ｔ５９、ｔ６６〜ｔ７０）、時計１０が送信した計測タイム情報を受信する。
このように、本実施形態では、時計１０と通信機器２０それぞれは、通信を確立せずに、アドバタイズパケットを送信し、受信可能なときに受信している。
【０１１０】
図１９を用いて説明した実施形態によれば、従来のマラソン競技におけるアンテナを有するマットと比較して、計測タイム情報の送受信に使用する近距離無線通信の受信信号強度の増減からトリガ信号を判断することで、チャネル特定用のアンテナの数を減らすことができる。また、本実施形態によれば、大掛かりな装置が必要ない。
また、図１９を用いて説明した実施形態によれば、トリガポイントをタブレット端末等の通信機器２０のプログラムで実現することで、システムの構築が容易となる。
さらに図１９を用いて説明した実施形態によれば、競技者が装着する時計１０をスマートフォン、スマートウォッチなどの汎用装置を用いてもよく、汎用装置にインストールされるプログラムで実現することで専用端末を必要としなくなる。
【０１１１】
仮に接続を確立して通信をした場合は、ランニング中に時計１０と通信機器２０とが長距離離れると通信が切断する恐れがある。このように通信が切断した場合は、再接続には時間がかかるため、ラップタイムの取りこぼしが発生してしまう。このため、本実施形態では、このようなラップタイム等の取りこぼしをなくすため、アドバタイズパケットの送信とスキャンだけで双方向通信を行う。これにより、本実施形態によれば、同時接続数の制限も受けなくなる。
【０１１２】
なお、この実施例においても、図１０を用いて説明したマスク期間を設ける。時計１０の制御部１０１は、通信機器２０からの通信信号を受信し、受信した通信信号から通信機器２０の識別情報を抽出する。そして、制御部１０１は、通信機器２０からの通信信号を受信した時間を計測したのち、所定時間内に再度同じ識別情報を含む通信信号を受信した場合であっても、マスク期間、計測を行わない。この処理の理由は、ゴール地点を競技者が通過時に、計測タイム情報の送信直後にアドバタイジングパケットを再度検出して計測や計測タイム情報の送信の処理が行われるのを防ぐためである。
【０１１３】
上述した例では、時計１０と通信機器２０それぞれが、常時アドバタイジングパケットの送信とスキャンを行う例を説明したが、これに限られない。時計１０は、計測タイム情報を送信した後、次に通信機器２０からアドバタイジングパケットを受信するまで、アドバタイジングパケットの送信を停止するようにしてもよい。
【０１１４】
なお、上述した例では、近接無線の例としてＢＬＥ通信を用いる例を説明したが、これに限られない。時計１０と通信機器２０との間で通信を確立せずに、時計１０と通信機器２０それぞれが通信信号を送信することが可能な他の近接無線であってもよい。
【０１１５】
なお、上述した例では、時計１０と通信機器２０とが通信を確立しない（ペアリングしない）例を説明したが、これに限られない。例えば、トラックが小さい場合や、時計１０と通信機器２０それぞれが送信する電波強度が強い場合等、通信を確立した後、競技中に切断が切断されない場合には、時計１０と通信機器２０とが通信を確立するようにしてもよい。
【０１１６】
また、上述した例では、時計１０の制御部１０１が、計測したラップタイムやスプリットタイム等を計測タイム情報として送信する例を説明したが、これに限られない。制御部１０１は、計測タイム情報として、予め定められた時間、例えば０や１００時間等、ラップタイムやスプリットタイムとして発生し得ない時間を計測タイム情報として送信するようにしてもよい。この場合、通信機器２０の制御部１０１は、時計１０から通信信号を受信したとき、または通信信号の受信強度が所定のしきい値以上であることによって検出したときの時間を計測し、計測した時間を記憶部２０４に記憶させるようにしてもよい。制御部２０１は、記憶させた時間を用いて時計１０毎のラップタイムやスプリットタイムを計算し、計算した時計１０毎のラップタイムやスプリットタイムを記憶部２０４に記憶させるようにしてもよい。なお、通信機器２０は、不図示の通信回路を備え、通信回路が例えば携帯電話通信網等の基地局から時刻情報を取得するようにしてもよい。
【０１１７】
または、通信機器２０の制御部２０１は、時計１０が送信した通信信号を検出したときの時間を計測することで、ラップタイムやスプリットタイムの計測を行うようにしてもよい。この場合、時計１０が第１通信装置に相当し、通信機器２０が第２通信機器に相当する。
【０１１８】
また、上述した例では、ステップＳ３０、ステップＳ３２においてスキャンを中断する例について説明したが、これに限られず、ステップＳ３０、Ｓ３２を省略することができる。
また、時計１０の制御部１０１は、センサー１０９が検出したセンサー検出値に基づく情報も送信するようにしてもよい。例えば、制御部１０１は、センサー１０９が検出した脈拍数を取得し、計測した計測タイム情報と合わせてアドバタイズパケットとして送信するようにしてもよい。このように、通信信号に脈拍数等が含まれていた場合、通信機器２０の制御部２０１は、脈拍数を抽出し、例えば図１４において競技者毎の計測値と一緒に表示部２０３上に表示させるようにしてもよい。
【０１１９】
なお、上述した例では、競技者がトラックを周回する競技に適用する例を説明したが、これに限られない。例えば、マラソンのように計測ポイントが複数有り、計測ポイント毎に通信機器２０が設置されていてもよい。このような場合、計測ポイントに設置される複数の通信機器２０は、例えば通信回線を用いて互いに接近回数や計測データを共有するようにしてもよい。
なお、上述した例において、受信強度がしきい値を超える状態とは、しきい値以上となる状態を排除しないものであり、受信強度がしきい値を下回る状態とは、しきい値以下となる状態を排除しないものである。また、受信強度がしきい値以上となる状態とは、しきい値を超える状態を排除しないものであり、受信強度がしきい値以下となる状態とは、しきい値を下回る状態を排除しないものである。
【０１２０】
なお、本発明における時計１０の制御部１０１、通信機器２０の制御部２０１の機能の一部または全てを実現するためのプログラムをコンピュータ読み取り可能な記録媒体に記録して、この記録媒体に記録されたプログラムをコンピュータシステムに読み込ませ、実行することにより時計１０の制御部１０１、通信機器２０の制御部２０１が行う処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１２１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１２２】
１…計測システム、１０…時計、２０…通信機器、１０１…制御部、１０２…発振回路、１０３…分周回路、１０４…操作部、１０５…表示部、１０６…記憶部、１０７…無線通信制御部、１０８…アンテナ、１０９…センサー、１１０…電池、１０１１…計時部、１０１２…情報処理部、１０１３…通信制御部、２０１…制御部、２０２…操作部、２０３…表示部、２０４…記憶部、２０５…センサー、２０６…アンテナ、２０７…無線通信制御部、２０８…電池、２０９…発振回路、２１０…分周回路
【図１】
2018129619.tif 000003
【図２】
2018129619.tif 000004
【図３】
2018129619.tif 000005
【図４】
2018129619.tif 000006
【図５】
2018129619.tif 000007
【図６】
2018129619.tif 000008
【図７】
2018129619.tif 000009
【図８】
2018129619.tif 000010
【図９】
2018129619.tif 000011
【図１０】
2018129619.tif 000012
【図１１】
2018129619.tif 000013
【図１２】
2018129619.tif 000014
【図１３】
2018129619.tif 000015
【図１４】
2018129619.tif 000016
【図１５】
2018129619.tif 000017
【図１６】
2018129619.tif 000018
【図１７】
2018129619.tif 000019
【図１８】
2018129619.tif 000020
【図１９】
2018129619.tif 000021